(57)【特許請求の範囲】
【請求項１】
複数のレンズユニットを交換して装着可能な撮像装置であって、
装着されたレンズユニットから、該レンズユニットに固有の情報を取得する取得手段と、
前記装着されたレンズユニットについての焦点ずれ量を検出する検出手段と、
前記取得手段により取得した前記固有の情報と、前記検出手段により検出された焦点ずれ量を補正するための焦点補正値とを関連づけて表示する表示手段と、
ユーザーにより操作される操作部材と、
前記操作部材への操作に応じて、前記焦点補正値を設定する設定手段と
を有することを特徴とする撮像装置。
【請求項２】
前記取得手段により取得した前記固有の情報と、前記設定手段により設定された焦点補正値とを関連づけて記憶する記憶手段と、
レンズユニットが交換された場合に、前記取得手段により取得した前記固有の情報に対応する焦点補正値が前記記憶手段に記憶されているかどうかを判断する判断手段とを更に有し、
前記判断手段により記憶されていると判断された場合に、前記設定手段による前記焦点補正値の設定に先だって、前記表示手段は前記記憶手段から前記対応する焦点補正値を読み出して、前記固有の情報に関連づけて表示することを特徴とする請求項１に記載の撮像装置。
【請求項３】
前記固有の情報は、レンズユニットの名称を含むことを特徴とする請求項１または２に記載の撮像装置。
【請求項４】
前記固有の情報は、レンズユニットに装着されたエクステンダーの名称を含むことを特徴とする請求項１乃至３のいずれか１項に記載の撮像装置。
【請求項５】
前記取得手段は更に、前記装着されたレンズユニットから開放Ｆ値を取得し、撮像装置は、前記焦点補正値を変更可能な単位を前記開放Ｆ値に基づいて決定するスケール化手段を有することを特徴とする請求項１乃至４のいずれか１項に記載の撮像装置。
【請求項６】
前記設定手段は、前記スケール化手段で決まった単位で前記焦点補正値を補正することを特徴とする請求項５に記載の撮像装置。
【請求項７】
入射した被写体光学像を画像信号に変換して出力する撮像素子と、
前記撮像素子から得られた画像信号と、前記取得手段により取得された、前記画像信号の取得時に装着されていたレンズユニットの前記固有の情報と、前記設定手段により設定された焦点補正値とを関連づけて記録する記録手段と
を更に有することを特徴とする請求項１乃至６のいずれか１項に記載の撮像装置。
【請求項８】
焦点補正値を設定しない第１のモードと、装着されたレンズユニットに関わりなく、一律の焦点補正値を設定する第２のモードと、装着されたレンズユニットに応じて焦点補正値を設定する第３のモードのいずれかを選択する選択手段を有し、
前記表示手段は、前記第３のモードが選択された場合に、前記固有の情報と前記焦点補正値とを関連づけて表示することを特徴とする請求項１乃至７のいずれか１項に記載の撮像装置。
【請求項９】
複数のレンズユニットを交換して装着可能な撮像装置の制御方法であって、
装着されたレンズユニットから、該レンズユニットに固有の情報を取得する取得工程と、
前記装着されたレンズユニットの焦点ずれ量を検出する検出工程と、
前記取得工程で取得した前記固有の情報と、前記検出工程で検出された焦点ずれ量を補正するための焦点補正値とを関連づけて表示する表示工程と、
ユーザーによる操作部材への操作に応じて、前記検出工程で検出された焦点ずれ量を補正する焦点補正値を設定する設定工程と、
前記設定工程により焦点補正値が設定される度に、表示された焦点補正値を更新する表示更新工程と
を有することを特徴とする制御方法。
【請求項１０】
前記取得工程で取得した前記固有の情報と、前記設定工程で設定された焦点補正値とを関連づけて記憶手段に記憶する記憶工程と、
レンズユニットが交換された場合に、前記取得工程で取得した前記固有の情報に対応する焦点補正値が前記記憶手段に記憶されているかどうかを判断する判断工程とを更に有し、
前記判断工程で記憶されていると判断された場合に、前記表示工程では前記記憶手段から前記対応する焦点補正値を読み出して、前記固有の情報に関連づけて表示することを特徴とする請求項９に記載の制御方法。
【発明の詳細な説明】
【技術分野】
【０００１】
本発明は、撮像装置及び制御方法、及びユーザーインタフェースの表示装置に関し、更に詳しくは、焦点検出手段によって検出される焦点ずらし量を補正する焦点補正値を設定可能な撮像装置及び制御方法、及びユーザーインタフェースに関する。
【背景技術】
【０００２】
従来、カメラの自動焦点検出装置が検出する焦点ずらし量を使用者の操作によって補正するカメラが提案されている。
【０００３】
この種のカメラの一例として、例えば、特許文献１に次のようなカメラが提案されている。先ず、使用者がカメラに備え付けられた操作部材を操作し、操作に連動して焦点ずらし量の補正値が変化する表示画面を確認しながら焦点補正値を設定する。そして、設定された焦点補正値をレンズユニットの製造番号を含む個体情報に関連付けて不揮発性メモリに記憶させる。個体情報が一致するレンズユニットが装着されたときに不揮発性メモリから対応する焦点補正値を読み出して、焦点ずらし量を補正する。
【０００４】
【特許文献１】特開２００５−２２７６３９号公報
【発明の開示】
【発明が解決しようとする課題】
【０００５】
特許文献１に開示されるカメラでは、レンズユニットが装着されることで焦点ずらし量の補正値を設定することができる。使用者は装着されているレンズユニットに対して焦点補正値を設定しているという認識がある。このことは、装着されているレンズユニットを使用者は既知であることを前提としている。
【０００６】
しかしながら、使用者が装着されているレンズユニットを識別していないこともあり、焦点補正値を設定するときには、通常、カメラの背面に設置された表示装置に表示された表示画面を見ながら行う。そのため、表示画面に表示された情報のみを見て装着されたレンズユニットに適した設定を行うことは困難であった。この場合、装着されたレンズユニットで焦点補正値を設定したことを確認しづらく、使用者が意図しない補正がかかった撮影結果になるという問題があった。
【０００７】
また、撮影した画像を観賞する時に設定情報を知ることができない。そのため、どれだけ補正がかかって撮影された画像であるのかがわからず、次に撮影するときに焦点補正値を設定し直した方が意図する結果が得られるのかという判断する情報を使用者に提示していないという問題がある。
【課題を解決するための手段】
【０００８】
本発明は上記問題点を鑑みてなされたものであり、複数のレンズユニットを交換して装着可能な本発明の撮像装置は、装着されたレンズユニットから、該レンズユニットに固有の情報を取得する取得手段と、前記装着されたレンズユニットについての焦点ずれ量を検出する検出手段と、前記取得手段により取得した前記固有の情報と、前記検出手段により検出された焦点ずれ量を補正するための焦点補正値とを関連づけて表示する表示手段と、ユーザーにより操作される操作部材と、前記操作部材への操作に応じて、前記焦点補正値を設定する設定手段とを有する。
【０００９】
また、複数のレンズユニットを交換して装着可能な撮像装置の本発明の制御方法は、装着されたレンズユニットから、該レンズユニットに固有の情報を取得する取得工程と、前記装着されたレンズユニットの焦点ずれ量を検出する検出工程と、前記取得工程で取得した前記固有の情報と、前記検出工程で検出された焦点ずれ量を補正するための焦点補正値とを関連づけて表示する表示工程と、ユーザーによる操作部材への操作に応じて、前記検出工程で検出された焦点ずれ量を補正する焦点補正値を設定する設定工程と、前記設定工程により焦点補正値が設定される度に、表示された焦点補正値を更新する表示更新工程とを有する。
【発明の効果】
【００１１】
複数のレンズユニットを交換して装着可能な撮像装置において、焦点ずらし量を補正するための焦点補正値を設定する際に装着されているレンズユニットを、焦点補正値の設定画面上で確認することができる。
【発明を実施するための最良の形態】
【００１２】
以下、添付図面を参照して本発明を実施するための最良の形態を詳細に説明する。
【００１３】
図１は、本発明の第１の実施形態における一眼レフカメラの構成を示すブロック図である。同図において、１２７はカメラ本体、１１６はカメラ本体１２７に着脱可能なレンズユニットである。カメラ本体１２７には、レンズユニット１１６に限らず複数の異なるレンズユニットを交換して装着可能であり、レンズユニット１１６はそのうちの１例を示している。
【００１４】
１０１は撮影レンズ、１１２は撮影レンズ１０１を通過した被写体光学像を結像させる、ＣＣＤやＣＭＯＳセンサ等の撮像素子であり、結像された被写体光学像の光量に応じて電荷に変換して得られた画像信号を出力する。
【００１５】
１０２は半透過部を有する主ミラーであり、撮影時には撮影光路外へ退避し、焦点検出時に撮影光路内に斜設され、図１では撮影光路中に挿入された状態（ミラーダウン）を示している。また、主ミラー１０２は、撮影光路内に斜設された状態で、撮影レンズ１０１を通過した光束の一部をピント板１０３、ペンタプリズム１０４および接眼レンズ１０５から構成されるファインダ光学系に導く。
【００１６】
１０６は、主ミラー１０２の動作に同期して主ミラー１０２に対して折り畳み、展開可能なサブミラーである。主ミラー１０２の半透過部を通過した光束の一部は、サブミラー１０６によって下方へ反射され、位相差方式の焦点検出装置１０７に入射し、撮影レンズ１０１の合焦状態が検出される。
【００１７】
図２は、焦点検出装置１０７により焦点状態を検出する原理を説明する為の光路図であり、構成要素を撮影レンズ１０１の光軸上に展開して示したものである。ただし、主ミラー１０２およびサブミラー１０６は省略している。なお、図２において、図１と同じ構成要素には同じ参照番号を付している。
【００１８】
焦点検出装置１０７は、フィールドレンズ１２９と一対の開口部を有する絞り１３０と、一対の２次結像レンズ１３１と、一対の光電変換素子列などからなるイメージセンサ１３２とを有している。
【００１９】
光軸１０１ａ上の一点から発した光束は、撮影レンズ１０１を通過した後、撮像素子１１２上に結像するとともに、フィールドレンズ１２９、絞り１３０、および２次結像レンズ１３１を介してイメージセンサ１３２上に一定の間隔を隔てて結像する。
【００２０】
フィールドレンズ１２９は、撮影レンズ１０１の瞳１０１ｂと一対の２次結像レンズ１３１の入射瞳、すなわち絞り１３０付近で結像するように配置されている。絞り１３０の一対の開口部に対応して、撮影レンズ１０１の瞳１０１ｂは図中上下方向に分割される。
【００２１】
このような構成において、例えば撮影レンズ１０１を図中左方に繰り出して、撮像素子１１２より左方に光束が結像すると、イメージセンサ１３２上の一対の像は矢印ａの方向に変位する。この一対の像の相対的なずれ量をイメージセンサ１３２で検出することで、撮影レンズ１０１の合焦状態を検出し、さらに撮影レンズ１０１の焦点調節駆動を行うことが可能である。なお、撮影レンズ１０１を図中右方に繰り込んだ場合、イメージセンサ１３２上の一対の像は、図中矢印ａの方向とは反対方向に変位する。
【００２２】
図１に戻り、カメラ本体１２７は、カメラ全体の制御を行うＣＰＵから構成されるシステムコントローラ１２６を備え、後述する各部の動作を適宜制御する。
【００２３】
システムコントローラ１２６には、イメージセンサ１３２に接続された焦点検出回路１０８と、主ミラー１０２を駆動するためのミラー駆動回路１０９と、フォーカルプレーンシャッター１１１を制御するシャッター制御回路１１０とが接続されている。なお、焦点検出回路１０８と上述した焦点検出装置１０７とにより焦点ずらし量を検出する検出手段が構成される。
【００２４】
更に、システムコントローラ１２６には、不図示のレンズマウントを介して、撮影レンズ１０１の焦点調節を行うためにモータを駆動させるレンズ駆動モータ１１３を駆動するためのレンズ駆動回路１１４が接続される。また、レンズユニット１１６とカメラ本体１２７間で通信を行うレンズ通信回路１１５が接続されている。レンズ通信回路１１５は、システムコントローラ１２６から送信される通信コマンドを解析し、通信コマンドに対応したレンズの情報をカメラ本体１２７へ送信する。この通信コマンドは、レンズユニット１１６に固有の情報であるレンズ個別情報を取得するコマンドを含む。なお、レンズ個別情報としては、レンズ名称が含まれてもよいし、また、カメラ本体１２７との間にエクステンダーが取り付けられたときにはエクステンダー名称が含まれてもよい。このように、システムコントローラ１２６とレンズ通信回路１１５が通信することで、レンズ個別情報を取得する取得手段が形成される。
【００２５】
また、システムコントローラ１２６には、カメラを制御する上で調整が必要なパラメータを記憶したＥＥＰＲＯＭ１２１が接続されている。
【００２６】
更に、システムコントローラ１２６には、画像の撮像、記録のための各装置の制御をシステムコントローラ１２６からの命令に基づいて実行する画像データコントローラ１１９が接続されている。画像データコントローラ１１９には、撮像素子１１２から出力される撮影レンズ１０１を通過した被写体像に対応したアナログ信号をデジタル信号に変換するためのＡ／Ｄコンバータ１１７とが接続されている。また、Ａ／Ｄコンバータ１１７からの出力信号を処理する画像処理回路１１８と、画像データを一時的に記憶するための記憶手段として使用されるＤＲＡＭ１２０が接続されている。更に、ＤＲＡＭ１２０に記憶された画像データの圧縮や例えばＪＰＥＧ変換を行うための画像圧縮回路１２２とが接続されている。
【００２７】
画像圧縮回路１２２で圧縮された画像データはカメラに着脱可能な画像記録装置１２３へ記録される。
【００２８】
表示回路１２４は表示手段の一例であって、画像データコントローラ１１９から送られてくる画像データや、後述する焦点補正値の設定画面（ユーザーインタフェース）をシステムコントローラ１２６の命令に基づいて表示する。即ち、表示回路１２４及びシステムコントローラ１２６により、ユーザーインタフェース表示装置が構成される。操作スイッチ１２５は、カメラの動作モードや撮影条件（焦点補正値）、露出情報（シャッター秒時、絞り値など）を操作するスイッチ、レリーズボタンなどの操作部材を含む。システムコントローラ１２６は使用者の操作に応じて上記の情報を表示するように表示回路１２４に命令する。即ち、この場合、システムコントローラ１２６は設定手段の役割を担う。
【００２９】
次に、図３のフローチャートを参照して、本第１の実施形態における焦点ずらし量を補正するための焦点補正値の設定方法について説明する。操作スイッチ１２５の１つであるパワースイッチがオンされると、カメラ本体１２７に電力が供給され、システムコントローラ１２６が図３のフローチャートに示す動作を開始する。
【００３０】
ステップＳ１０１では、カメラを制御する上で調整が必要なパラメータをＥＥＰＲＯＭ１２１から読み出す。このパラメータの中には焦点補正値の登録情報も含まれている。
【００３１】
ステップＳ１０２では、操作スイッチ１２５の１つである焦点補正値の設定画面の表示スイッチがオンされるとステップＳ１０３へ進み、オンされなければ焦点補正値の設定を終了する。
【００３２】
ステップＳ１０３では、カメラ本体１２７にレンズユニットが装着されているかどうかの確認を行う。この確認は、装着されたレンズユニットのレンズ個別情報に対して焦点補正値を登録するため、焦点補正値を設定するにはレンズユニットが装着されている必要があるために行われる。レンズユニットが装着されていればステップＳ１０４へ進み、装着されていないときは焦点補正値の設定を終了する。なおこの時にレンズユニットが装着されていないことを認知させる表示を行うようにしてもよい。
【００３３】
ステップＳ１０４では、レンズ通信を行い、装着されたレンズユニットのレンズ個別情報を取得する。レンズ個別情報は、レンズ名称やエクステンダー名称などの情報を含む。
【００３４】
ステップＳ１０５では、システムコントローラ１２６はステップＳ１０４で取得したレンズユニットのレンズ個別情報を基に、ＥＥＰＲＯＭ１２１に記憶されている焦点補正値の登録情報を検索する。即ち、この場合、システムコントローラ１２６は判断手段として動作する。
【００３５】
ステップＳ１０６では、ステップＳ１０５の検索結果、装着されたレンズユニットの焦点補正値が登録されているかどうかを判断し、登録されていた場合、ステップＳ１０７へ進み、ＥＥＰＲＯＭ１２１から焦点補正値を読み出してステップＳ１０８へ進む。一方、装着されたレンズユニットの焦点補正値が登録されていない場合は、直接ステップＳ１０８へ進む。
【００３６】
ステップＳ１０８では、例えば図４または図５に示すような、焦点補正値の設定画面（ユーザーインタフェース）の表示を行う。図４に示す例において表示される情報としては、レンズ個別情報の内、レンズユニットの名称２０１ａと、焦点補正値を設定するための目盛り２０２と、登録番号２０３である。また、新規登録及び登録内容の変更を行うｓｅｔボタン２０４も表示する。また、エクステンダーが装着されたときは、ステップＳ１０４で取得したエクステンダー名称の情報に基づいて図５に示すようにエクステンダー名称２０１ｂも表示する。
【００３７】
ここで、焦点補正値２０２の１目盛りは、ステップＳ１０４でレンズユニットの開放Ｆ値を取得しておき、その開放Ｆ値と許容錯乱円の積で求まる被写界深度で決定する（スケール化）。本実施の形態では、開放Ｆ値が小さく被写界深度が浅い場合には深い場合に比べて焦点補正値２０２の１目盛りに対する焦点ずらし量が小さくなる。被写界深度が浅い場合に深い場合と同じ量だけずらすと、被写界深度が深い場合には深度内のずらし量であっても、浅い場合には大きく深度外にずれてしまうことがあるからである。なお、このスケール化は、レンズユニットに依らない絶対量であっても良い。例えば、どのようなレンズが装着されても一目盛り単位１０ｍｍ焦点をずらすといった具合である。このようにする場合には、使用者の感覚で焦点ずらし量を決定できる。
【００３８】
このような焦点補正値２０２の１目盛りを決定するスケール化はシステムコントローラ１２６により行うようにすることができる（スケール化手段）。また、ＥＥＰＲＯＭ１２１に記憶する焦点補正値の単位も、レンズユニット毎に開放Ｆ値と許容錯乱円の積で求まる被写界深度で決定される量であっても良いし、レンズユニットに依らない絶対量であっても良い。
【００３９】
なお、上記説明ではレンズ個別情報と焦点補正値とを記憶する記憶手段として、ＥＥＰＲＯＭ１２１を用いる場合について記載している。しかしながら、記憶手段はＥＥＰＲＯＭ１２１に限るものではなく、不図示の内部メモリに記憶したり、画像記録装置１２３に記録するようにしても構わない。ただし、カメラ本体１２７の電源ＯＦＦ後も記憶した内容を残すことのできる記憶媒体に記憶することが好ましい。
【００４０】
また、図４及び図５の設定画面は一例であって、本発明は図４及び図５に示す設定画面に限定されるものではなく、レンズ個別情報、焦点補正値、焦点補正値を変更するための何らかの指標が表示されていれば良い。これらの表示は、例えばＥＥＰＲＯＭ１２１等に設定画面の表示を行うためのコンピュータプログラムを記憶しておき、当該プログラムをシステムコントローラ１２６が実行し、表示回路１２４を制御することで達成することができる。従って、コンピュータプログラム、システムコントローラ１２６及び表示回路１２４により、固有情報表示手段、補正値表示手段、指標表示手段が構成されることになる。
【００４１】
ステップＳ１０９では、操作スイッチ１２５の１つである焦点補正値の変更スイッチにより、焦点補正値が変更されたかどうかを判別し、更新されればステップＳ１１０へ進み、更新されなければステップＳ１１２へ進む。
【００４２】
ステップＳ１１０では、焦点補正値の変更を登録するかどうかの判別を行う。この判別は、図４または図５に示すｓｅｔボタン２０４が押されたかどうかに応じて判断する。ｓｅｔボタン２０４が押された場合はステップＳ１１１へ進み、レンズユニットのレンズ個別情報と関連付けて焦点補正値をＥＥＰＲＯＭ１２１に記憶させる。この際、図４と図５に示す登録番号２０３を１つインクリメントする。そして、焦点補正値の設定を終了する。ｓｅｔボタン２０４が押されていない場合はステップＳ１１２へ進む。
【００４３】
ステップＳ１１２では、操作スイッチ１２５の１つである焦点補正値の設定画面の表示スイッチの状態を確認し、オンのままであればステップＳ１０９へ戻って上述した処理を繰り返す。表示スイッチがオフされた場合には、焦点補正値の設定を終了する。
【００４４】
次に、本第１の実施形態のカメラシステムの自動焦点検出装置における焦点ずらし量の補正、および、焦点補正値を画像のＥｘｉｆ情報に記録する処理の流れを図６に示すフローチャートで説明する。
【００４５】
ステップＳ２０１では、カメラを制御する上で調整が必要なパラメータを読み出す。このパラメータの中には焦点補正値の登録情報も含まれている。
【００４６】
ステップＳ２０２では、操作スイッチ１２５の１つであるレリーズボタンの第１ストローク操作（半押し操作）によりＯＮするＳＷ１がＯＮであるかどうかを判別し、ＯＮの場合はステップＳ２０３へ進み、ＯＦＦの場合は待機状態となる。
【００４７】
ステップＳ２０３では、焦点検出装置１０７が上述した位相差式の焦点検出により焦点ずらし量を検出する。そして、ステップＳ２０４では、検出した焦点ずらし量に対してＥＥＰＲＯＭ１２１に記憶されている工場出荷時に調整された焦点ずらし量の補正値と、さらに、図３を参照して上述したようにして使用者が設定した焦点補正値を用いて補正をかける。
【００４８】
ステップＳ２０５では、ステップＳ２０４で補正がかけられた焦点ずらし量をデフォーカス量に変換し、さらにフォーカスレンズを駆動するためのパルス数に変換して、レンズ駆動回路１１４を介してレンズ駆動モータ１１３を駆動させる。
【００４９】
ステップＳ２０６では、レリーズボタンの第２ストローク操作（全押し操作）によりＯＮするＳＷ２がＯＮかどうかを判別し、ＯＮの場合はステップＳ２０７へ進み、ＯＦＦの場合はステップＳ２０３の焦点検出へ戻る。
【００５０】
ステップＳ２０７では、ミラー駆動回路１０９により主ミラー１０２およびサブミラー１０６を撮影光束外へ退避させ、シャッター制御回路１１０の開閉動作により撮像素子１１２の露光を行う。
【００５１】
ステップＳ２０８では、Ａ／Ｄコンバータ１１７を介して撮像素子１１２から出力される画像信号を、画像データコントローラ１１９が画像処理回路１１８を介して画像データを画像記録装置１２３に記録する。このとき、システムコントローラ１２６は画像データと関連して記録されるＥｘｉｆ情報に焦点補正値とレンズ個別情報を追加して記録する。なお、画像データとＥｘｉｆ情報は１つの画像ファイルである。
【００５２】
ここで、画像ファイルに記録される焦点補正量の１単位は、上述したように開放Ｆ値によって決定される量であっても良いし、レンズユニットに依らない絶対量であっても良い。
【００５３】
上記の通り第１の実施形態によれば、レンズユニットがカメラ本体に装着されたときにレンズユニットの名称を含むレンズ個別情報を取得し、焦点補正値の設定画面に表示するため、焦点補正値の設定時に使用者は必要十分な情報を得ることができる。また、撮影した画像を鑑賞するときにも焦点補正値の情報を得ることができるため、次の撮影に情報を反映させ、使用者が意図する結果を得ることが可能になる。
【００５４】
また、エクステンダーが装着されている場合には、レンズ個別情報にエクステンダー名称を追加したことにより、エクステンダーが装着された場合と非装着の場合を区別して、焦点補正値の設定、およびレンズユニットの名称を表示することが可能となる。従って、エクステンダーの装着による撮影条件の変化に対応することができる。
【００５５】
ここで、焦点補正値の設定はレンズユニットのレンズ個別情報毎に複数登録することが可能なので、図７に示すように登録情報を一覧で表示することもできる。ただし、焦点補正値の新規登録や変更の設定ができるのは装着されたレンズユニットに対してのみである。なお図中３０１は一覧表示から抜け出すための確認ボタンである。
【００５６】
さらに、画像ファイルにはＥｘｉｆ情報が記録されるため、画像ファイルをプリントアウトするときに焦点補正値とレンズ個別情報を出力することが可能になる。これにより、使用者はどのレンズユニットでどれだけの焦点補正値で撮影した結果の画像であるかを画像を鑑賞するときでも確認することができる。
【００５７】
また、カメラに着脱可能な画像記憶装置に画像ファイルのＥｘｉｆ情報に焦点補正値とレンズ個別情報を追加して記録しているので、カメラだけでなく画像記憶装置を装着可能な機器、例えばＰＣ（パーソナルコンピュータ）などで表示を行うことができる。これらの機器でも使用者はどのレンズユニットでどれだけの焦点補正値で撮影した結果の画像であるかを確認することができる。
【００５８】
従って、焦点補正値の確認は設定時だけでなく、撮影した画像ファイルからも知ることができるため、撮影した画像の結果を見ながら次回の撮影で焦点補正値を設定し直した方が意図する結果が得られるのかという判断する情報を使用者に提示することができる。
【００５９】
＜第２の実施形態＞
次に、本第２の実施形態について説明する。
【００６０】
本第２の実施形態では、焦点補正値の設定に関して、複数のモードを有し、モードに応じて設定を行う場合について説明する。以下、本第２の実施形態における処理について、図８のフローチャートを参照して説明する。なお、本第２の実施形態の撮像装置は、第１の実施形態で図１を参照して説明したものと同様の構成を有するものとし、ここでは説明を省略する。また、図８において、図３と同様の処理には同じ参照番号を付し、適宜説明を省略する。
【００６１】
操作スイッチ１２５の１つであるパワースイッチがオンされると、カメラ本体１２７に電力が供給され、システムコントローラ１２６が図８のフローチャートに示す動作を開始する。そして、ステップＳ１０１でカメラを制御する上で調整が必要なパラメータをＥＥＰＲＯＭ１２１から読み出す。このパラメータの中には焦点補正値の登録情報も含まれている。
【００６２】
ステップＳ１０２では、操作スイッチ１２５の１つである焦点補正値の設定画面の表示スイッチがオンされるとステップＳ３０１へ進み、オンされなければ焦点補正値の設定を終了する。
【００６３】
ステップＳ３０１では、表示回路１２４に図９に示すような選択画面を表示する。図９に示す画面において、０は焦点補正値を調節しないモード（以下、「モード０」と記す。）、１は装着されたレンズユニットにかかわらず、一律に調整を行うモード（以下、「モード１」と記す。）である。そして、２はレンズユニット応じて焦点補正値を調節するモードである（以下、「モード２」と記す。）。
【００６４】
ステップＳ３０２では、焦点補正値の設定モードの選択を行い、モード０が選択されれば調整を行わないため、焦点補正値の設定を終了する。また、モード２が選択された場合、第１の実施形態で説明したようにステップＳ１０３〜Ｓ１１２の処理を行って焦点補正値の設定を終了する。一方、モード１が選択された場合には、ステップＳ１０８に進み、焦点補正値の設定画面を表示する。ただし、モード１では、レンズユニットに依らず一律に調整を行うため、図１０に示すような画面が表示される。そして、モード２ではレンズユニットが装着されていないと焦点補正値を調節することができないのに対し、モード１ではレンズユニットが装着されていなくても焦点補正値を調節することができる。モード１では、装着されたレンズユニットにかかわらず、一律に調整を行うため、レンズユニットの情報を必要としない一方、モード２ではレンズユニットの情報を必要とするからである。このようにすれば、モード２では、レンズユニットの装着が無いにもかかわらず調整することによる誤入力を回避することができる。また、モード１では、レンズユニットを装着しなくても使用者が適時に調整することができる。したがって、モード１が選択されたときにはレンズユニットの装着に拘らず焦点補正値を表示する。一方、モード２が選択されたときにはレンズユニットの装着がない場合に焦点補正値を表示しない。装着されたときに焦点補正値を表示する。
【図面の簡単な説明】
【００６５】
【図１】本発明の第１の実施形態におけるカメラの構成を示す概略図である。
【図２】位相差方式の焦点検出原理を示す図である。
【図３】本発明の第１の実施形態における焦点補正値の設定手順を示すフローチャートである。
【図４】本発明の第１の実施形態における焦点補正値の設定画面の一例を示す図である。
【図５】本発明の第１の実施形態における焦点補正値の設定画面の別の一例を示す図である。
【図６】本発明の第１の実施形態におけるカメラの動作フローチャートである。
【図７】本発明の第１の実施形態における焦点補正値の設定一覧画面を示す図である。
【図８】本発明の第２の実施形態における焦点補正値の設定手順を示すフローチャートである。
【図９】本発明の第２の実施形態における焦点補正値の設定モードを選択する画面の一例を示す図である。
【図１０】本発明の第２実施形態における焦点補正値の設定画面の一例を示す図である。
【符号の説明】
【００６６】
１０１  撮影レンズ
１０２  主ミラー
１０３  ピント板
１０４  ペンタプリズム
１０５  接眼レンズ
１０６  サブミラー
１０７  焦点検出装置
１０９  ミラー駆動回路
１１０  シャッター制御回路
１１１  フォーカルプレーンシャッター
１１２  撮像素子
１１３  レンズ駆動モータ
１１４  レンズ駆動回路
１１５  通信回路
１１６  レンズユニット
１１７  Ａ／Ｄコンバータ
１１８  画像処理回路
１１９  画像データコントローラ
１２０  ＤＲＡＭ
１２２  画像圧縮回路
１２３  画像記録装置
１２４  表示回路
１２５  操作スイッチ
１２６  システムコントローラ
１２７  カメラ本体
１２９  フィールドレンズ
１３０  絞り
１３１  ２次結像レンズ
１３２  イメージセンサ
【図１】
0004639205.tif 000002
【図２】
0004639205.tif 000003
【図３】
0004639205.tif 000004
【図４】
0004639205.tif 000005
【図５】
0004639205.tif 000006
【図６】
0004639205.tif 000007
【図７】
0004639205.tif 000008
【図８】
0004639205.tif 000009
【図９】
0004639205.tif 000010
【図１０】
0004639205.tif 000011